(57)【要約】      （修正有）【課題】ホック取付工場におけるホック保持駒の保有数とコスト負担とを低減できる構造としたホック保持駒を提供する。【解決手段】ホック取付機のホック保持駒１は、円柱部６の外周面上部に拡径部７が形成され、円柱部６の下部に保持部８ａ，８ｂが形成され、円柱部６の中心部に挿通孔９が形成されたホック保持部材２ａ，２ｂと、上部にホック取付機に着脱可能に装着される装着部１１ａ，１１ｂが形成され、下部に挿通孔９に挿通される打撃ピン１２が形成され、円盤部１３の外周面に雄ねじ１４が形成された着脱式打撃部材３ａ，３ｂと、円筒部１５の内周面下部に縮径部１６が形成され、円筒部１５の内周面上部に雄ねじ１４を着脱可能に螺着する雌ねじ１７が形成された取付部材４と、ホック保持部材２ａ，２ｂと着脱式打撃部材３ａ，３ｂとの間に装着された付勢部材５とから構成される。【選択図】図１
0003148123.tif 000002
【実用新案登録請求の範囲】
【請求項１】
円柱部（６）を備え、該円柱部（６）の外周面上部に拡径部（７）が形成され、該円柱部（６）の下部にホック（３０，４０）を保持する保持部（８ａ，８ｂ）が形成され、該円柱部（６）の中心部に上下に貫通する挿通孔（９）が形成されたホック保持部材（２ａ，２ｂ）と、
上部にホック取付機（２０）に着脱可能に装着される装着部（１１ａ，１１ｂ）が形成され、下部に前記ホック保持部材（２ａ，２ｂ）の挿通孔（９）に挿通される打撃ピン（１２）が形成され、該装着部（１１ａ，１１ｂ）と打撃ピン（１２）との間に円盤部（１３）が形成され、該円盤部（１３）の外周面に雄ねじ（１４）が形成された着脱式打撃部材（３ａ，３ｂ）と、
円筒部（１５）を備え、該円筒部（１５）の内周面下部に前記ホック保持部材（２ａ，２ｂ）の円柱部（６）が上下動可能に挿通するとともに拡径部（７）の下面が係止する縮径部（１６）が形成され、該円筒部（１５）の内周面上部に前記着脱式打撃部材（３ａ，３ｂ）の雄ねじ（１４）を着脱可能に螺着する雌ねじ（１７）が形成された取付部材（４）と、
前記取付部材（４）の円筒部（１５）の内部で、前記ホック保持部材（２ａ，２ｂ）の円柱部（６）の上面と前記着脱式打撃部材（３ａ，３ｂ）の円盤部（１３）の下面との間に装着されてホック保持部材（２ａ，２ｂ）を下方へ付勢する付勢部材（５）とから構成されたことを特徴とするホック取付機のホック保持駒。
【請求項２】
前記ホック保持部材には、雌形ホック（３０）の凹部（３１）に嵌合して該雌形ホック（３０）を保持する突起状の保持部（８ａ）を備えたホック保持部材（２ａ）と、雄形ホック（４０）の凸部（４１）に嵌合して該雄形ホック（４０）を保持する陥没状の保持部（８ｂ）を備えたホック保持部材（２ｂ）とがあり、これらを択一的に前記取付部材（４）に取り付けるようにした請求項１記載のホック取付機のホック保持駒。
【請求項３】
前記着脱式打撃部材には、ホック取付機の締付式装着部に着脱可能に装着される丸棒状の装着部（１１ａ）を備えた着脱式打撃部材（３ａ）と、ホック取付機のねじ式装着部に着脱可能に装着される雄ねじの装着部（１１ｂ）を備えた着脱式打撃部材（３ｂ）とがあり、これらを択一的に前記取付部材（４）に取り付けるようにした請求項１又は２記載のホック取付機のホック保持駒。
【考案の詳細な説明】
【技術分野】
【０００１】
本考案は、布、革、樹脂等のシートにホック（スナップファスナー）を取り付けるためのホック取付機に用いられるホック保持駒に関するものである。
【背景技術】
【０００２】
ホックは、該ホックとリベットとでシートを挟み、リベットの突起をシートに突き刺すとともにホックの貫通孔に貫通させて、突起の先端部をかしめることにより、シートに取り付けられる。この取り付けに使用される取付機として、受け具にリベットを保持できるようにする一方、受け具の上方で昇降する昇降部材に、セットボルトで固定したカシメパンチと、カシメパンチに対して上下に摺動可能な保持部材（ガイドパンチ）と、保持部材を下方へ付勢する付勢部材とを設け、保持部材にホックを保持するようにしたものが知られている（特許文献１，２）。
【特許文献１】特開２００４−７３３６８号公報
【特許文献２】特開２００６−５５４５５号公報
【考案の開示】
【考案が解決しようとする課題】
【０００３】
ホックには雌型と雄型があるため、これを保持する保持部材にも雌型保持用と雄型保持用とがある。また、ホックには色々なサイズがあるため、これを保持する保持部材にも色々なサイズがある。このため、保持部材は、昇降部材に対して交換可能に取り付けられるようになっている。そして、ホック取付機には上記特許文献１，２に記載のものとは異なる様々なものがあり、ホック取付機の製造国や製造メーカーによって保持部材の装着構造が異なるため、取付機ごとに専用の保持部材が製造されている。
【０００４】
ところが、現実にホックの取り付けを行っている工場には、様々な製造国や製造メーカーによるホック取付機が混在して設置されていることがある。このような場合に、あるホック取付機の保持部材を別のホック取付機に流用することができないため、ホック取付機ごとに専用の保持部材を納入する必要があり、不便であるとともにコスト負担増となっていた。
【０００５】
そこで、本考案は、ホックの取付工場におけるホック保持駒の保有数とコスト負担とを低減することができるホック取付機のホック保持駒を提供することを目的とする。
【課題を解決するための手段】
【０００６】
上記目的を達成するために、本考案のホック取付機のホック保持駒（１）は、
円柱部（６）を備え、該円柱部（６）の外周面上部に拡径部（７）が形成され、該円柱部（６）の下部にホック（３０，４０）を保持する保持部（８ａ，８ｂ）が形成され、該円柱部（６）の中心部に上下に貫通する挿通孔（９）が形成されたホック保持部材（２ａ，２ｂ）と、
上部にホック取付機（２０）に着脱可能に装着される装着部（１１ａ，１１ｂ）が形成され、下部に前記ホック保持部材（２ａ，２ｂ）の挿通孔（９）に挿通される打撃ピン（１２）が形成され、該装着部（１１ａ，１１ｂ）と打撃ピン（１２）との間に円盤部（１３）が形成され、該円盤部（１３）の外周面に雄ねじ（１４）が形成された着脱式打撃部材（３ａ，３ｂ）と、
円筒部（１５）を備え、該円筒部（１５）の内周面下部に前記ホック保持部材（２ａ，２ｂ）の円柱部（６）が上下動可能に挿通するとともに拡径部（７）の下面が係止する縮径部（１６）が形成され、該円筒部（１５）の内周面上部に前記着脱式打撃部材（３ａ，３ｂ）の雄ねじ（１４）を着脱可能に螺着する雌ねじ（１７）が形成された取付部材（４）と、
前記取付部材（４）の円筒部（１５）の内部で、前記ホック保持部材（２ａ，２ｂ）の円柱部（６）の上面と前記着脱式打撃部材（３ａ，３ｂ）の円盤部（１３）の下面との間に装着されてホック保持部材（２ａ，２ｂ）を下方へ付勢する付勢部材（５）とから構成されたことを特徴とする。
【０００７】
ここで、ホック保持部材には、雌形ホック（３０）の凹部（３１）に嵌合して該雌形ホック（３０）を保持する突起状の保持部（８ａ）を備えたホック保持部材（２ａ）と、雄形ホック（４０）の凸部（４１）に嵌合して該雄形ホック（４０）を保持する陥没状の保持部（８ｂ）を備えたホック保持部材（２ｂ）とがあり、これらを択一的に前記取付部材（４）に取り付けるようにすることができる。
【０００８】
また、着脱式打撃部材には、ホック取付機の締付式装着部に着脱可能に装着される丸棒状の装着部（１１ａ）を備えた着脱式打撃部材（３ａ）と、ホック取付機のねじ式装着部に着脱可能に装着される雄ねじの装着部（１１ｂ）を備えた着脱式打撃部材（３ｂ）とがあり、これらを択一的に前記取付部材（４）に取り付けるようにすることができる。
【考案の効果】
【０００９】
本考案によれば、取付部材に取り付けるホック保持部材を着脱して交換すれば、雌型にも雄型にもサイズにも対応してホックを保持することができるホック保持駒とすることができ、また、着脱式打撃部材を着脱して交換すれば、装着構造の異なるホック取付機に対応して装着することができるホック保持駒とすることができ、これによりホックの取付工場におけるホック保持駒の保有数とコスト負担とを低減することができるという優れた効果を奏する。
【考案を実施するための最良の形態】
【００１０】
図１〜図３に示す本実施例のホック保持駒は、図４に示すようなホック取付機２０のハンマー部２１に取り付けられるものである。ホック保持駒１は、ホック保持部材２ａ又は２ｂと着脱式打撃部材３ａ又は３ｂと取付部材４と付勢部材５とから構成される。２種類あるホック保持部材２ａとホック保持部材２ｂは択一的に用いられる。２種類ある着脱式打撃部材３ａと着脱式打撃部材３ｂも択一的に用いられる。
【００１１】
ホック保持部材２ａは雌型ホック保持用であり、円柱部６を備え、該円柱部６の外周面上部に拡径部７が形成され、該円柱部６の下部に雌形ホックの凹部に嵌合して該雌形ホックを保持する突起状の保持部８ａが形成され、該円柱部６の中心部に上下に貫通する挿通孔９が形成されてなる。
ホック保持部材２ｂは雄型ホック保持用であり、円柱部６を備え、該円柱部６の外周面上部に拡径部７が形成され、該円柱部６の下部に雄形ホックの凸部に嵌合して該雄形ホックを保持する陥没状の保持部８ｂが形成され、該円柱部６の中心部に上下に貫通する挿通孔９が形成されてなる。
本例のホック保持部材２ａ，２ｂはいずれも金属で一体形成されている。
【００１２】
着脱式打撃部材３ａはホック取付機の締付式装着用であり、上部に締付式装着部に着脱可能に装着される丸棒状の装着部１１ａが形成され、下部にホック保持部材２ａ，２ｂの挿通孔９に挿通される打撃ピン１２が形成され、該装着部１１ａと打撃ピン１２との間に円盤部１３が形成され、該円盤部１３の外周面に雄ねじ１４が形成されてなる。
着脱式打撃部材３ｂはホック取付機のねじ式装着用であり、上部にねじ式装着部に着脱可能に装着される雄ねじの装着部１１ｂが形成され、下部にホック保持部材２ａ，２ｂの挿通孔９に挿通される打撃ピン１２が形成され、該装着部１１ａと打撃ピン１２との間に円盤部１３が形成され、該円盤部１３の外周面に雄ねじ１４が形成されてなる。
本例の着脱式打撃部材３ａ，３ｂはいずれも金属で一体形成されている。
【００１３】
取付部材４は、円筒部１５を備え、該円筒部１５の内周面下部にホック保持部材２ａ，２ｂの円柱部６が上下動可能に挿通するとともに拡径部７の下面が係止する縮径部１６が形成され、該円筒部１５の内周面上部に着脱式打撃部材３ａ，３ｂの雄ねじ１４を着脱可能に螺着する雌ねじ１７が形成されてなる。本例の取付部材４は金属で一体形成されている。
【００１４】
付勢部材５は、取付部材４の円筒部１５の内部で、ホック保持部材２ａ，２ｂの円柱部６の上面と着脱式打撃部材３ａ，３ｂの円盤部１３の下面との間に装着されてホック保持部材２ａ，２ｂを下方へ付勢するものであり、本例はゴム、エラストマー、軟質樹脂等のゴム状弾性体により円筒状に形成されている。付勢部材５はコイルばねでもよいが、折れる問題が多く発生し、交換も難しい。これに対し、ゴム状弾性体は折れにくく長期使用が可能で、簡単に交換できる特長がある。付勢部材５の外周面と円筒部１５の内周面との間、及び、付勢部材５の内周面と打撃ピン１２の外周面との間には、後述するように付勢部材５が湾曲及び／又は圧縮されるのを許容する隙間が設けられている。
【００１５】
このホック保持駒１を組み立てるには、取付部材４の内側に上方からホック保持部材２ａ，２ｂを装入し、さらに付勢部材５を装入し、着脱式打撃部材３ａの雄ねじ１４を雌ねじ１７に螺着すればよい。
雌型ホック保持用のホック保持部材２ａと、締付式装着用の着脱式打撃部材３ａとを用いて上記のとおり組み立てると、図２（ア１）（ア２）に示すタイプのホック保持駒１となる。
雄型ホック保持用のホック保持部材２ｂと、締付式装着用の着脱式打撃部材３ａとを用いて上記のとおり組み立てると、図２（イ１）（イ２）に示すタイプのホック保持駒１となる。
雌型ホック保持用のホック保持部材２ａと、ねじ式装着用の着脱式打撃部材３ｂとを用いて上記のとおり組み立てると、図２（ウ１）（ウ２）に示すタイプのホック保持駒１となる。
雄型ホック保持用のホック保持部材２ｂと、ねじ式装着用の着脱式打撃部材３ｂとを用いて上記のとおり組み立てると、図２（エ１）（エ２）に示すタイプのホック保持駒１となる。
【００１６】
このホック保持駒１をホック取付機２０の締付式装着用のハンマー部２１に取り付けるには、図３（ア１）に示すように、ハンマー部２１の装着孔２２に着脱式打撃部材３ａの丸棒状の装着部１１ａを差込み、ハンマー部２１の側部から螺入した締付ねじ２３を装着部１１ａに締め付ければよい。
【００１７】
また、このホック保持駒１をホック取付機２０のねじ式装着用のハンマー部２１に取り付けるには、図３（エ１）に示すように、ハンマー部２１の装着ねじ孔２４に着脱式打撃部材３ｂの雄ねじの装着部１１ｂを螺着すればよい。
【００１８】
こうしてハンマー部２１に取り付けたホック保持駒１を用いて樹脂製のホックを布、革、樹脂等のシート６０に取り付けるには、図３（ア１）に示すように、突起状の保持部８ａに雌形ホック３０の凹部３１を嵌合させて該雌形ホック３０を保持し、又は、図３（エ１）に示すように、陥没状の保持部８ｂに雄形ホック４０の凸部４１を嵌合させて該雄形ホック４０を保持する一方、ホック取付機２０の受け台２５に樹脂製のリベット５０を保持した後、ハンマー部２１を下降させる。
【００１９】
すると、図３（ア２）（エ２）に示すように、雌形ホック３０の貫通孔３２又は雄形ホック４０の貫通孔４２にリベット５０の突起５１が入り込み、雌形ホック３０又は雄形ホック４０の外周部がリベット５０に当接してホック保持部材２ａ，２ｂの下降が止まった後、円盤部１３が付勢部材５を湾曲及び／又は圧縮しながら、打撃ピン１２が下降しリベット５０の突起５１の先端部を打撃してかしめる。その後、ハンマー部２１が上昇したとき、付勢部材５は自身の弾性により湾曲・圧縮が復元する。
【００２０】
以上のように構成されたホック保持駒１によれば、取付部材４に取り付けるホック保持部材２ａ，２ｂを着脱して交換すれば、雌型にも雄型にもサイズにも対応してホック３０，４０を保持することができるホック保持駒１とすることができ、また、着脱式打撃部材３ａ，３ｂを着脱して交換すれば、装着構造の異なるホック取付機２０に対応して装着することができるホック保持駒１とすることができる。これにより、ホックの取付工場におけるホック保持駒の保有数とコスト負担とを低減することができる。
【００２１】
本考案は、前記実施例に限定されるものではなく、考案の趣旨から逸脱しない範囲で適宜変更して具体化することもできる。
【図面の簡単な説明】
【００２２】
【図１】本考案に係る実施例のホック保持駒の分解斜視図である。
【図２】同ホック保持駒の斜視図及び断面図である。
【図３】同ホック保持駒をホック取付機に取り付けたときの断面図である。
【図４】同ホック取付機の斜視図である。
【符号の説明】
【００２３】
１    ホック保持駒
２ａ    ホック保持部材
２ｂ    ホック保持部材
３ａ    着脱式打撃部材
３ｂ    着脱式打撃部材
４    取付部材
５    付勢部材
６    円柱部
７    拡径部
８ａ    保持部
８ｂ    保持部
９    挿通孔
１１ａ    装着部
１１ｂ    装着部
１２    打撃ピン
１３    円盤部
１４    雄ねじ
１５    円筒部
１６    縮径部
１７    雌ねじ
２０    ホック取付機
２１    ハンマー部
２２    装着孔
２３    締付ねじ
２４    装着ねじ孔
【図１】
0003148123.tif 000003
【図２】
0003148123.tif 000004
【図３】
0003148123.tif 000005
【図４】
0003148123.tif 000006